(57)【要約】【課題】コネクタに装着された状態でも端子と基板との接続部分を外部から容易に目視することのできるコネクタ用キャップを提供することにある。【解決手段】キャップ１０に端子３と基板との接続部分を上方から目視可能な窓部１３を設けたので、キャップ１０をコネクタ１に装着した状態でも端子３と基板との接続部分をコネクタ１の上方から容易に目視することができ、各端子３と基板との接続不良の検査を支障なく行うことができる。【選択図】図１０
2015133214.tif 000002
【特許請求の範囲】
【請求項１】
基板に実装されるコネクタに装着され、コネクタの端子と基板との接続部分の上方に位置するコネクタ用キャップにおいて、
前記端子と基板との接続部分を上方から目視可能な窓部を備えた
ことを特徴とするコネクタ用キャップ。
【請求項２】
前面を開口したコネクタ本体の前端側を覆うようにコネクタの前方からコネクタ本体に装着されるキャップ本体を備えた
ことを特徴とする請求項１記載のコネクタ用キャップ。
【請求項３】
前記キャップ本体を、コネクタ本体の前面側、上面側及び両側面側のみを覆うように形成した
ことを特徴とする請求項２記載のコネクタ用キャップ。
【請求項４】
前記キャップ本体内に、コネクタ本体の前面開口部内に嵌合する嵌合部を設けた
ことを特徴とする請求項３記載のコネクタ用キャップ。
【請求項５】
前記キャップ本体の前面の下端側に、端子の基板との接続部分を前方から目視可能な切り欠き部を設けた
ことを特徴とする請求項３または４記載のコネクタ用キャップ。
【請求項６】
前記キャップ本体の前面に、コネクタの前方に突出する把持部を設けた
ことを特徴とする請求項２、３、４または５記載のコネクタ用キャップ。
【請求項７】
前記キャップ本体の上面側に、コネクタの上面の露出部分を拡大させる切り欠き部を設けた
ことを特徴とする請求項２、３、４、５または６記載のコネクタ用キャップ。
【請求項８】
前記キャップ本体に、コネクタ本体に着脱自在に係合する係合部を設けた
ことを特徴とする請求項２、３、４、５、６または７記載のコネクタ用キャップ。
【発明の詳細な説明】
【技術分野】
【０００１】
本発明は、基板に実装されるコネクタに装着され、コネクタの端子を保護するためのコネクタ用キャップに関するものである。
【背景技術】
【０００２】
従来、この種のコネクタ用キャップとしては、基板に実装されるコネクタに装着され、コネクタの端子を外部との接触から保護するようにしたものが知られている（例えば、特許文献１参照。）。
【０００３】
このコネクタ用キャップは、一端を開口した中空状のキャップ本体を備え、コネクタに装着すると、キャップ本体によってコネクタ本体を外側から覆うようになっている。
【先行技術文献】
【特許文献】
【０００４】
【特許文献１】特開２００７−１２２８８６号公報
【発明の概要】
【発明が解決しようとする課題】
【０００５】
ところで、前記コネクタにおいては、端子が基板に半田付けされることにより端子と基板が接続されるが、実装後の基板と端子との接続部分は、外部から目視によって接続不良の有無を検査される。
【０００６】
しかしながら、端子の基板との接続部は、コネクタ本体から僅かに外側に突出しているにすぎないため、コネクタ用キャップをコネクタに装着すると、端子の基板との接続部分の上方にキャップが位置し、キャップに遮られて端子と基板との接続部分を外部から容易に目視することができなくなる。これにより、端子と基板との接続不良の検査が困難になるという問題点があった。
【０００７】
本発明は前記問題点に鑑みてなされたものであり、その目的とするところは、コネクタに装着された状態でも端子と基板との接続部分を外部から容易に目視することのできるコネクタ用キャップを提供することにある。
【課題を解決するための手段】
【０００８】
本発明は前記目的を達成するために、基板に実装されるコネクタに装着され、コネクタの端子と基板との接続部分の上方に位置するコネクタ用キャップにおいて、前記端子と基板との接続部分を上方から目視可能な窓部を備えている
これにより、コネクタに装着された状態でも端子と基板との接続部分をコネクタの上方から窓部を介して容易に目視することが可能となる。
【発明の効果】
【０００９】
本発明によれば、コネクタに装着された状態でも端子と基板との接続部分をコネクタの上方から容易に目視することができるので、端子と基板との接続不良の検査を支障なく行うことができる。
【図面の簡単な説明】
【００１０】
【図１】本発明の一実施形態を示すコネクタ用キャップの前面側斜視図
【図２】コネクタ用キャップの背面側斜視図
【図３】コネクタ用キャップの正面図
【図４】コネクタ用キャップの背面図
【図５】コネクタ用キャップの側面図
【図６】コネクタ用キャップの平面図
【図７】コネクタ用キャップの底面図
【図８】コネクタ用キャップの側面断面図
【図９】コネクタへのキャップの装着工程を示す平面図
【図１０】コネクタへのキャップの装着状態を示す平面図
【図１１】コネクタへのキャップの装着状態を示す斜視図
【図１２】コネクタを基板に実装した状態を示す平面図
【発明を実施するための形態】
【００１１】
図１乃至図１２は本発明の一実施形態を示すもので、コネクタの端子を保護するためのコネクタ用キャップを示すものである。
【００１２】
同図に示すコネクタ１は、前面を開口したコネクタ本体２と、互いにコネクタ本体２の幅方向に間隔をおいて配列された複数の端子３とを備え、コネクタ本体２の前端側にはコネクタ用キャップ１０が装着されるようになっている。
【００１３】
コネクタ本体２は、横長に形成された合成樹脂の成型品からなり、その前面開口部に相手側コネクタ（図示せず）が嵌合するようになっている。コネクタ本体２の両側面にはキャップ１０が係合する係合部２ａがそれぞれ設けられ、各係合部２ａはコネクタ本体２の側面の前端側に幅方向に突出するように形成されている。
【００１４】
各端子３は、相手側端子との接触部（図示せず）と、基板に接続される基板接続部３ａとを有し、相手側端子との接触部はコネクタ本体２内に配置されている。基板接続部３ａはコネクタ本体２の下面から基板に沿って前後方向に延びるように形成され、一部の端子３の基板接続部３ａはコネクタ本体２の前端から前方に延出し、他の端子３の基板接続部３ａはコネクタ本体２の後端から後方に延出している。この場合、各端子３の基板接続部３ａは、コネクタ本体２よりも僅かに前後方向外側に突出しており、キャップ１０が装着されていない状態では上方から目視することが可能である。
【００１５】
本実施形態のコネクタ用キャップ１０は、横長に形成された合成樹脂の成型品からなり、コネクタ本体１の前端側を覆うように前方からコネクタ１に装着されるキャップ本体１１と、コネクタ本体２の前面開口部内に嵌合する嵌合部１２と、前列側の端子３の各基板接続部３ａを上方から目視可能な窓部１３と、キャップ本体１１をコネクタ本体２に着脱する際に把持する把持部１４とを備えている。
【００１６】
キャップ本体１１は、前面部１１ａ、上面部１１ｂ及び両側面部１１ｃからなり、その背面及び底面はそれぞれ開放されている。前面部１１ａ、上面部１１ｂ及び各側面部１１ｃは、それぞれコネクタ本体２の前面、上面及び両側面を外側から覆うように形成され、各側面部１１ｃにはコネクタ本体２の係合部２ａに係合する係合部１１ｄが設けられている。各係合部１１ｄは、キャップ本体１１の幅方向に弾性変形可能な弾性片１１ｅの先端に設けられ、キャップ本体１１の内側に向かって突出するように形成されている。即ち、キャップ本体１１をコネクタ本体２に着脱する際、各弾性片１１ｅがキャップ本体１１の幅方向に弾性変形して係合部１１ｄがコネクタ本体２の係合部２ａを乗り越えることにより、各係合部２ａ，１１ｄが互いに係合し、または係合状態が解除されるようになっている。キャップ本体１１の前面部１１ａには、その下端の幅方向両端側を除く部分に第１の切り欠き部１１ｆが設けられ、キャップ本体１１をコネクタ本体２に装着した状態で第１の切り欠き部１１ｆから前列側の端子３の各基板接続部３ａを前方から目視可能になっている。また、キャップ本体１１の上面部１１ｂには、その後端の幅方向両端側を除く部分に第２の切り欠き部１１ｇが設けられ、キャップ本体１１をコネクタ本体２に装着した際、第２の切り欠き部１１ｇによってコネクタ本体２の上面の露出部分が拡大されるようになっている。
【００１７】
嵌合部１２は、コネクタ本体２の内部に配置され、コネクタ本体２の前面開口部内に挿入可能に形成されている。嵌合部１２は上面部１１ｂと一体に形成され、キャップ本体１１の後方に向かって突出するように形成されている。また、嵌合部１２には、コネクタ本体２側に開口する凹部１２ａが設けられ、嵌合部１２がコネクタ本体２に嵌合されると、コネクタ１の各端子３の一端側が凹部１２ａ内に配置されるようになっている。
【００１８】
窓部１３は、上面部１１ｂに設けられた長孔からなり、キャップ本体１１の幅方向に延びるように形成されている。窓部１３は、前面部１１ａと嵌合部１２との間の空隙を介してキャップ本体１１の上方からキャップ本体１１の下方を目視可能に設けられており、キャップ本体１１をコネクタ本体２に装着した際、前列側の端子３の各基板接続部３ａがキャップ本体１１の上方から窓部１３を介して見えるようになっている。
【００１９】
把持部１４は、キャップ本体１１の前面に設けられ、前面部１１ａの幅方向中央側からキャップ本体１１の前方に突出するように形成されている。把持部１４は、幅方向に延びる板状部１４ａと、板状部１４ａの前端に設けられた拡大部１４ｂとからなり、拡大部１４ｂは板状部１４ａよりも上下方向及び幅方向の寸法が大きくなるように形成されている。
【００２０】
以上のように構成されたキャップ１０をコネクタ１に装着する場合は、図９に示すようにキャップ本体１１にコネクタ本体２の前端側を挿入することにより、コネクタ本体２の前端側がキャップ本体１１の前面部１１ａ、上面部１１ｂ及び各側面部１１ｃによって覆われ、コネクタ１の各端子３の一端側が外部との接触から保護される。その際、キャップ１０の嵌合部１２がコネクタ本体２の前面開口部内に嵌合するとともに、キャップ本体１１の各係合部１１ｄがコネクタ本体２の各係合部２ａに係合する。
【００２１】
前述のようにキャップ１０が装着されたコネクタ１を基板に実装する場合は、コネクタ本体２の上面を吸着ノズルによって吸着し、基板の所定位置に載置した後、各端子３の基板接続部３ａを基板に半田付けする。その際、コネクタ本体２の上面の一部はキャップ１０の上面部１１ｂによって覆われているが、上面部１１ｂの第２の切り欠き部１１ｇによってコネクタ本体２の上面の露出部分が広くなっているので、吸着ノズルによる吸着面がコネクタ本体２の上面の広範囲に確保される。
【００２２】
次に、基板に実装されたコネクタ１に対し、各端子３と基板との接続不良の有無を検査する場合には、各端子３の基板接続部３ａをコネクタ１の上方から目視することにより、各基板接続部３ａの半田付け状態が確認される。その際、前列側の各基板接続部３ａの上方にはキャップ１０が位置しているが、前列側の各基板接続部３ａはキャップ１０の窓部１３を介して上方から目視される。
【００２３】
また、コネクタ１に相手側コネクタを接続する場合など、コネクタ１からキャップ１０を取り外す際は、キャップ１０の把持部１４を把持して前方への力を加えると、キャップ本体１１の各弾性部１１ｅがキャップ本体１１の幅方向に弾性変形して係合部１１ｄがコネクタ本体２の係合部２ａを乗り越え、各係合部２ａ，１１ｄの係合が解除され、キャップ１０がコネクタ１から外れる。その際、キャップ１０の把持部１４がキャップ本体１１の前面に設けられていることから、キャップ本体１１の両側面を把持する必要がなく、例えば図１２に示すように基板２０に実装されたコネクタ１の幅方向両側に他の機器や筐体の壁面等の障害物３０が配置されている場合でも、障害物３０に妨げられることなくキャップ１０の把持部１４を把持することができる。
【００２４】
このように、本実施形態によれば、キャップ１０に端子３と基板との接続部分を上方から目視可能な窓部１３を設けたので、キャップ１０をコネクタ１に装着した状態でも端子３と基板との接続部分をコネクタ１の上方から容易に目視することができ、各端子３と基板との接続不良の検査を支障なく行うことができる。
【００２５】
特に、本実施形態のように、キャップ１０のキャップ本体１１が、前面を開口したコネクタ本体２の前端側を覆うようにコネクタ１の前方からコネクタ本体２に装着されるように形成されている場合は、コネクタ本体２の前端側の端子３と基板との接続部分の上方にキャップ本体１１が位置するため、本実施形態の窓部１３を有するキャップ１０は、端子３と基板との接続部分を目視する場合に極めて有利である。
【００２６】
また、キャップ本体１１を、コネクタ本体２の前面側、上面側及び両側面側のみを覆うように形成したので、コネクタ本体２の前端側の端子３の各基板接続部３ａがキャップ本体１１と干渉することがなく、キャップ本体１１をコネクタ本体２に容易に着脱することができる。
【００２７】
この場合、キャップ本体１１の前面部１１ａの下端側に、端子３の基板接続部３ａを前方から目視可能な第１の切り欠き部１１ｆを設けたので、各端子３と基板との接続不良の検査をコネクタ１の前方からも確認することができ、接続不良の検査を万全に行うことができる。
【００２８】
また、キャップ本体１１内に、コネクタ本体２の前面開口部内に嵌合する嵌合部１２を設けたので、キャップ本体１１の底面が開放されていてもキャップ本体１１をコネクタ本体２によって確実に保持することができ、キャップ１０の脱落や位置ずれ防止に効果的である。
【００２９】
更に、キャップ本体１１の前面に、コネクタ１の前方に突出する把持部１４を設けたので、キャップ本体１１の両側面を把持する必要がなく、基板２０に実装されたコネクタ１の幅方向両側に他の機器や筐体の壁面等の障害物３０が配置されている場合でも、障害物３０に妨げられることなくキャップ１０の把持部１４を把持することができる。これにより、キャップ１０を常にコネクタ１から容易に取り外すことができる。
【００３０】
また、キャップ本体１１の上面部１１ｂに、コネクタ１の上面の露出部分を拡大させる第２の切り欠き部１１ｇを設けたので、吸着ノズルによる吸着面をコネクタ本体２の上面の広範囲に確保することができ、吸着ノズルをコネクタ１の上面に容易に吸着することができる。
【００３１】
更に、キャップ本体１１に、コネクタ本体２に着脱自在に係合する係合部１１ｄを設けたので、キャップ本体１１の反装着方向への移動を規制することができ、キャップ１０の脱落を確実に防止することができる。
【００３２】
尚、前記実施形態では、窓部１３を長孔状に形成したものを示したが、切り欠き状の窓部を設けるようにしてもよい。
【００３３】
また、前記実施形態では、前面を開口したコネクタ本体２にキャップ１０をコネクタ１の前方から装着するようにしたものを示したが、コネクタの上方からキャップを装着するようにしたものにも本発明を適用することが可能である。
【符号の説明】
【００３４】
１…コネクタ、２…コネクタ本体、３…端子、３ａ…基板接続部、１０…キャップ、１１…キャップ本体、１１ｄ…係合部、１１ｆ…第１の切り欠き部、１１ｇ…第２の切り欠き部、１２…嵌合部、１３…窓部、１４…把持部、２０…基板。
【図１】
2015133214.tif 000003
【図２】
2015133214.tif 000004
【図３】
2015133214.tif 000005
【図４】
2015133214.tif 000006
【図５】
2015133214.tif 000007
【図６】
2015133214.tif 000008
【図７】
2015133214.tif 000009
【図８】
2015133214.tif 000010
【図９】
2015133214.tif 000011
【図１０】
2015133214.tif 000012
【図１１】
2015133214.tif 000013
【図１２】
2015133214.tif 000014